【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
ごみ箱に取り付けて使用するためのアタッチメントであって，  円弧状の基部と，  前記基部の上端から外側に張り出した受け部とを有し，平面視における前記受け部の外側輪郭は，前記基部に対して接線をなすか当該接線と平行で，かつ，互いに角度をなす少なくとも２辺を含む，ごみ箱用アタッチメント．
【請求項２】
前記受け部は前記基部から斜め上方に向かって延在する請求項１のごみ箱用アタッチメント．
【請求項３】
前記基部の上端から半径方向外側に延在する座面を設けた請求項１又は２のごみ箱用アタッチメント．
【請求項４】
前記受け部の外周から立ち上がった立壁を有する請求項１，２又は３のごみ箱用アタッチメント．
【請求項５】
前記立壁の上部に衝立を設けた請求項４のごみ箱用アタッチメント．
【請求項６】
前記衝立を多層構造とし，層間のすきまをポケットとした請求項４又は５のごみ箱用アタッチメント．
【請求項７】
平面視における前記受け部の外側輪郭は，互いに約９０度の角度をなす２辺を含む，請求項１から６のいずれか１項のごみ箱用アタッチメント．
【請求項８】
平面視における前記受け部の外側輪郭は，隣り合う辺が互いに約９０度の角度をなす３辺を有する，請求項７のごみ箱用アタッチメント．
【手続補正２】
【補正対象書類名】明細書
【補正対象項目名】００５８
【補正方法】変更
【補正の内容】
【００５８】  図９は，基部５２と受け部５４の境界部を例示したもので，基部５２に沿って円弧状に延びる座面５４ｂ（図８（Ａ）参照）の有無に関連する．座面５４ｂは基部５２に対して垂直で，ごみ箱に取り付けた状態では水平に延在する．したがって，ごみ箱１０にアタッチメント５０を取り付けたとき，座面５４ｂがごみ箱１０の開口１２の縁１４に着座して，アタッチメント５０が安定した姿勢を維持するのに役立つ．
【手続補正３】
【補正対象書類名】明細書
【補正対象項目名】００５９
【補正方法】変更
【補正の内容】
【００５９】  まず，図９（Ａ）は，受け部５４が基部５２に対して垂直に，言い換えればごみ箱１０に取り付けた状態で水平に，延在する例である．この場合，受け部５４の下面５４ｃが座面を提供する．
【手続補正４】
【補正対象書類名】明細書
【補正対象項目名】００６０
【補正方法】変更
【補正の内容】
【００６０】  図９（Ｄ）は，受け部５４が一旦基部５２に対して垂直に延び，その後斜め上方に向かって延びる例である．基部５２に対して垂直に延びる部分の下面５４ｃが座面を提供する．
【手続補正５】
【補正対象書類名】明細書
【補正対象項目名】００６１
【補正方法】変更
【補正の内容】
【００６１】  図９（Ｂ）は，受け部５４が基部５２の上端から斜め上方に向かって延び，下面に水平な座面がない例である．この場合でも，ごみ箱に取り付けたとき受け部５４の下面がごみ箱１０の開口縁１４に当たってそれ以上の沈み込みを防ぐ．
【手続補正６】
【補正対象書類名】明細書
【補正対象項目名】００６２
【補正方法】変更
【補正の内容】
【００６２】  図９（Ｃ）は，受け部５４が同様に基部５２の上端から斜め上方に向かって延びているが，下面５４ｃに座面が設けてある例である．
【手続補正７】
【補正対象書類名】明細書
【補正対象項目名】００６３
【補正方法】変更
【補正の内容】
【００６３】  さらに，図９（Ｅ）に示すように，基部５２の外側に外壁５４ｄを設けてもよい．外壁５４ｄは，基部５２と同心円状の連続した壁でもよく，あるいは，互いに独立した複数の爪のような形態であってもよい．外壁５４ｄは，図３（Ｂ）及び５（Ａ）に関連してすでに述べた爪２４及び／又は背板２８と類似の作用を担う．すなわち，基部５２と外壁５４ｄとの間にごみ箱１０の壁を挟み込むことによりアタッチメント５０の姿勢が安定し，また，ごみ箱１０の外側に折り返したごみ袋の端を外側から押さえて止める役割を果たす．
【手続補正８】
【補正対象書類名】明細書
【補正対象項目名】００６５
【補正方法】変更
【補正の内容】
【００６５】  実施例では，受け部５４の外周に，辺５０ａに沿って，任意の高さで立ち上がった立壁５６が設けてある．立壁５６は，アタッチメント５０全体の補強として役立つほか，立壁の上端から上方に立ち上がった衝立（図示せず）を設ける場合にはその衝立の支持部としての役割を果たす．立壁５６の高さは任意である．上限については製造上可能な所望の範囲とし，下限についてはゼロすなわち立壁５６を省略することも可能である．立壁５６を省略した場合でも，たとえばごみ箱を部屋の隅に置いたとき，受け部５４の外周が壁面と接するか近接して、紙屑を丸めたようなごみが落下するほどのすきまを生じさせない．
【手続補正９】
【補正対象書類名】明細書
【補正対象項目名】００７３
【補正方法】変更
【補正の内容】
【００７３】  ２個一組で使用する場合に限らないが，立壁５６及び／又は衝立を設けたアタッチメントの場合，それらを折り返すことができるようにしてもよい．たとえば，隅角部分で谷線（稜線）に沿って切り離し，かつ，隣り合う辺（面）どうしを接合／分離可能としておくことにより，各辺（面）部分をそれらが受け部５４と会合する谷線（稜線）に沿って外側に，たとえば約１８０度折り曲げる，すなわち折り返すことができる．接合／分離を可能にする手段としては，凹凸係合，スライドファスナー，面ファスナー，ジップロック（登録商標），磁石等を挙げることができる．このようにして折り返した部分は，ごみ箱１０の上部を覆い，はみ出したごみ袋の端を隠したり，あるいはそれ自体が一種の装飾効果を奏したり，といった作用が期待できる．また，立壁５６や衝立の上端縁形状を工夫することにより，折り返したときの外観に特徴をもたせることも可能である．たとえば，図８及び図１１に示すような直線状に代えて，曲線状や波線状その他の任意の形状を選択することもできる．
【手続補正１０】
【補正対象書類名】明細書
【補正対象項目名】００７４
【補正方法】変更
【補正の内容】
【００７４】  図６及び図７を参照してすでに述べたように，これらの実施例にあっても，アタッチメント５０，５０ＩＩの表面（前面／背面）を利用して種々の表示を行うことができる．たとえば，カレンダーや動植物，人物，キャラクター，建物，風景等々を表示することにより，ごみ箱自体はもちろんごみ箱を含めた周辺の美観の向上に寄与する．あるいは，標的を描いておき，それを目がけてごみを投げ入れるようにするといった使用方法も可能である．かかる効果は，受け部５４にその外周から立ち上がった立壁５６を設けたり，さらにその上に衝立を付加したりすることにより一層確実に達成することができる．
【手続補正１１】
【補正対象書類名】明細書
【補正対象項目名】００７７
【補正方法】変更
【補正の内容】
【００７７】１０  ごみ箱  １２  開口（投入口）  １４  縁１６，５０，５０ＩＩ  アタッチメント  １６ａ  前面側  １６ｂ  背面側  １８，５２  基部    １８ａ  小径部    １８ｂ  段差部    １８ｃ  大径部    １８ｄ  移行部  ２０，５４  受け部    ５６  立壁 ２４  爪  ２６  凸部（凹凸係合部）２８  背板  ３０  凹部（凹凸係合部）３２  ごみ袋３４ａ，３４ｂ  ポケット３６ａ，３６ｂ  壁面材３８ａ，３８ｂ  開口４０  波板